(57)【要約】【課題】フックの不使用時には、フックが場取らず、邪魔にならないようにする。また、重い物も支持できるようにする。【解決手段】垂直板３の上部に水平板４を後方へ突出してなる本体２と、前記垂直板３の前面側において、下部を前記垂直板３の下部に回転可能に連結して起倒可能に備えたフック部１３と、該フック部１３の前方への倒伏位置を規制するストッパ部と、前記フック部１３を起立方向へ付勢する付勢手段を有する。フックの使用時には、フック部１３を前側に倒して、このフック部１３に物を引っ掛ける。【選択図】        図９
2004255115.tif 000002
【特許請求の範囲】
【請求項１】
垂直板の上部に水平板を後方へ突出してなる本体と、前記垂直板の前面側において、下部を前記垂直板の下部に回転可能に連結して起倒可能に備えたフック部と、該フック部の前方への倒伏位置を規制するストッパ部と、前記フック部を起立方向へ付勢する付勢手段を有することを特徴とするフック。
【請求項２】
前記フック部が、下部を前記本体の下部に回転可能に連結した掛け部と、該掛け部の先部に、該掛け部を倒伏した場合に上方に向いて突出する外れ止め部とからなる請求項１記載のフック。
【請求項３】
前記本体側に、前記フック部を起立した場合に該フック部を嵌入収納するフック嵌合凹部を形成した請求項１又は２記載のフック。
【請求項４】
前記フック部に手掛け部を形成した請求項１又は２又は３記載のフック。
【請求項５】
前記本体における垂直板の後面に、粘着シートを貼り付け、該粘着シートの表面に剥離紙を備えた請求項１乃至４のいずれかに記載のフック。
【発明の詳細な説明】
【０００１】
【発明の属する技術分野】
本発明はフックに関するもので、より詳しくは、机、本棚、陳列棚、椅子、カウンターなどの家具、その他の部材に付設して、バックやその他の物を引っ掛けて保持するフックに関する。
【０００２】
【従来の技術】
従来、前記のようなフックにおいて、平板状の基板の前面にＬ状のフック部を不動に突設するとともにその基板の裏面に粘着シートを貼着し、使用時に、粘着シートにより基板を家具などの垂直面に貼り付けて、そのフック部に物を引っ掛けて保持するフックが知られている。
【０００３】
【発明が解決しようとする課題】
前記従来のフックにおいては、その平板状の基板を家具などの垂直面に粘着シートで貼り付け、垂直方向の荷重を粘着シートの粘着力のみで支持するため、重いものが掛けられない問題がある。
【０００４】
更に、物を掛けない不使用時においても、フック部が基板から前方へ大きく突出しているため、このフック部が場取り、かつ、邪魔になる問題もある。
【０００５】
そこで本発明は、前記の問題を解決するフックを提供することを目的とするものである。
【０００６】
【課題を解決するための手段】
前記の課題を解決するために、請求項１記載の発明は、垂直板の上部に水平板を後方へ突出してなる本体と、前記垂直板の前面側において、下部を前記垂直板の下部に回転可能に連結して起倒可能に備えたフック部と、該フック部の前方への倒伏位置を規制するストッパ部と、前記フック部を起立方向へ付勢する付勢手段を有することを特徴とするものである。
【０００７】
本発明のフックを使用する場合には、家具等における物品の水平な上面と垂直な側面からなるコーナ部において、本発明のフックを、その本体の水平板を物品の上面に載置させ、垂直板を物品の側面に当接して適宜手段で固定する。
【０００８】
そして、フックの使用時には、フック部を前側へ倒して本体の前側へ突出させ、このフック部に物を引っ掛ける。このフック部の倒伏位置はストッパ部で保持される。
【０００９】
この使用状態から物をフック部から外すと、該フック部は付勢手段により自然に本体の垂直板に沿った状態に起立する。そのため、このフックの不使用状態においては、フック部が邪魔にならず、また、従来のものに比べて場所を取らない。
【００１０】
請求項２記載の発明は、前記請求項１記載の発明において、前記フック部が、下部を前記本体の下部に回転可能に連結した掛け部と、該掛け部の先部に、該掛け部を倒伏した場合に上方に向いて突出する外れ止め部とからなるものである。
【００１１】
本発明においては、フック部を倒伏した使用状態において、フック部の先部に外れ止め部が上向きに設けられるため、フック部に掛けた物が不用意に外れることが防止される。
【００１２】
請求項３記載の発明は、前記請求項１又は２記載の発明において、前記本体側に、前記フック部を起立した場合に該フック部を嵌入収納するフック嵌合凹部を形成したものである。
【００１３】
本発明においては、不使用時においてフック部が起立した状態では、フック部が本体に形成したフック嵌合凹部に収納されるため、フックを薄肉化し、一層邪魔にならず、場所を取らない。
【００１４】
請求項４記載の発明は、前記請求項１又は２又は３の発明において、前記フック部に手掛け部を形成したものである。
【００１５】
本発明においては、フック部を使用状態に引き出して倒す場合に、手掛け部に指をかけて容易にフック部を倒すことができる。
【００１６】
請求項５記載の発明は、前記請求項１乃至４のいずれかに記載の発明において、前記本体における垂直板の後面に、粘着シートを貼り付け、該粘着シートの表面に剥離紙を備えたものである。
【００１７】
本発明においては、剥離紙を剥がすことにより、粘着シートによってフック部の本体を物品の側面へ貼り付けることができ、フックの取り付けが容易に行える。
【００１８】
【発明の実施の形態】
本発明の好ましい実施の形態を図に示す実施例に基づいて説明する。
【００１９】
フック１を構成する本体２は、使用時において垂直方向に配置される垂直板３と、該垂直板３の上部において後方（図においてＢ側）へ突出する水平板４とを一体にして逆Ｌ字状に形成されており、図の実施例では、樹脂により垂直板３と水平板４とが一体成形されている。実施例では、該垂直板３と水平板４の横幅Ｌ１が約３０ｍｍに形成され、垂直板３の高さＬ２が約３３ｍｍに形成され、水平板４の後方側への突出量Ｌ３が約８ｍｍに形成されているが、これらの寸法は必要に応じて任意に設定するものである。
【００２０】
前記垂直板３の前面（物を掛ける側の面で図においてＡ側の面）には図９に示すように垂直側凹部５が前面側と上方側を開口して形成され、前記水平板４の上面には水平側凹部６が、前側が前記垂直側凹部５と連通し、上側を開口して形成されている。したがって、該垂直側凹部５と水平側凹部６が逆Ｌ字状に連通してフック部嵌合凹部７を形成している。
【００２１】
前記垂直板３の下部には、前記垂直側凹部５の下側に位置してフック部取付用の空隙８が形成されている。該空隙８には支軸９が水平方向に横断して配置され、該支軸９の両側は、空隙部８の両壁部１０，１１に挿通して固着されている。
【００２２】
前記空隙８の下側前面には、図１１に示すように垂直板３の下部材に一体に形成したストッパ面１２が設けられており、該ストッパ面１２は、垂直面に対して所定の角度θ１で形成されている。この角度θ１は零度でもよいが、図に示す実施例では、ストッパ面１２が、その下方が前方Ａ側へ若干突出するような傾斜面となる角度に設定されており、具体的には約１５度に設定されている。
【００２３】
前記垂直板３の前側にはフック部１３が備えられている。該フック部１３は掛け部１４と、該掛け部１４の先部において、掛け部１４を倒伏した場合に上方に向いて突出するように形成した外れ止め部１５とからなり、これらがＬ状に一体に形成されている。図の実施例では、この掛け部１４と外れ止め部１５が樹脂により一体成形されている。該フック部１３における掛け部１４は前記本体２の垂直板３に形成した垂直側凹部５に嵌合収納するように形成され、外れ止め部１５は前記本体２の水平側凹部６に嵌合収納するように形成されている。
【００２４】
更に、該フック部１３における掛け部１４の基部１４ａは、前記本体２における垂直板３に形成した空隙８に嵌合されているとともに前記支軸９に回転可能に支持されており、フック部１３が支軸９を中心として前後方向に回転して起倒可能に備えられている。なお、該フック部１３は、これが起立した場合に、その外れ止め部１５が、前記本体２における水平板４の水平側凹部６に嵌合する向きに配置されている。
【００２５】
更に、前記フック部１３の基部１４ａには、該フック部１３が図９乃至図１１に示すように前側へ倒れた場合に、前記本体２におけるストッパ面１２に当接する当接面１６が形成されている。該当接面１６は掛け部１４に対して略直角に形成されており、該当接面１６が前記ストッパ面１２に当接することにより、フック部１２の掛け部１４が水平面に対して、前側が上方へ若干傾斜する姿勢に倒伏するようになっている。なお、このような傾斜姿勢にするには、前記ストッパ面１２を垂直面にし、当接面１６を掛け部１４に対して若干傾斜させてもよい。
【００２６】
このストッパ面１２と当接面１６によってストッパ部を形成している。なお、このストッパ部は、フック部１３の掛け部１４を、略水平に倒れた状態で保持するように形成してもよい。
【００２７】
図の実施例では、図１１に示すように、ストッパ部によって、フック部１３が、本体２の垂直板３から前方へ約７５°の角度θ２で倒れて保持されるようになっている。
【００２８】
前記フック部１３には手掛け部が形成されている。図の実施例では、第１の手掛け部１７が、フック部の先部、すなわち、外れ止め部１５の上面に突出して設けられており、フック部１３の起立時には該第１の手掛け部１７が本体２の上面、すなわち水平板４の上面よりも上方に突出するようになっている。また、掛け部１４の基部１４ａには、掛け部１４及び本体２の垂直板３の前面よりも前側へ突出した第２の手掛け部１８が設けられている。
【００２９】
前記支軸９には付勢手段であるコイルスプリング１９が巻設されており、その一端１９ａが本体２に係止され、他端１９ｂがフック部１３側に係止されて、該コイルスプリング１９の付勢力によってフック部１３を、支軸９を中心として常時後方側、すなわち起立方向へ回動するように付勢している。該付勢手段１９はコイルスプリング以外のバネ等によって形成してもよい。
【００３０】
前記本体２における垂直板３の後面（裏面）には図１２乃至１４に示すように両面（表裏面）が粘着する粘着シート２０が貼着して設けられているとともに該粘着シート２０の後面（表面）には剥離紙２１が貼着して設けられている。
【００３１】
次にフックの使用方法について説明する。
先ず、本体２における垂直板３の剥離紙２１を剥がす。次に、本発明のフック１を付設したい机、本棚、陳列棚、枠子の背もたれ、カウンター、靴箱などの家具や、その他、部屋のドアや鴨居などの物品に対して、図１４に示すように、本発明のフック１における水平板４を物品２２の上面２２ａに引っ掛け、垂直板３を物品２２の側面（垂直面）２２ｂに当接し、粘着シート２０を物品２２の側面２２ｂに貼り付ける。これにより、フック１は物品２２の水平面と垂直面からなるコーナに付設され、粘着シート２０により固定される。
【００３２】
前記のように物品２２に付設された状態のフック１において、フック部１３を使用しない状態では、そのフック部１３は付勢手段１９であるコイルスプリングの付勢力によって図１乃至図８に示すような起立姿勢におかれ、そのフック部１３の掛け部１４が本体２における垂直側凹部５に嵌入して収納され、フック部１３の外れ止め部１５が本体２における水平側凹部６に嵌入して収納される。
【００３３】
したがって、フック１の不使用時には、フック部１３が本体２から大きく突出しない状態におかれ、このフック１が場取らず邪魔にならない。また、人が通る場合にフック部１３が人に当たったり、衣服に引っかかる事がない。
【００３４】
次に、フック１を使用する場合には、起立状態のフック部１３における先部に形成した第１の手掛け部１７に指を掛けて手前に引くか、或いはフック部１３における基部に形成した第２の手掛け部１８に指を掛けて下方へ押す。これにより、フック部１３は支軸９を中心として、付勢手段１９に抗して前側に回転し、図９乃至図１１に示すように本体２の前側に倒れて突出する。
【００３５】
そして、この状態で、そのフック部１３の掛け部１４に図１４に示すように物２３を引っ掛ける。
【００３６】
この物２３を引っ掛けた状態では、その物２３の荷重によりフック部１３の当接面１６が本体２のストッパ面１２に当たり、そのフック部１３が所定の角度に保持されて物２３が支持される。本実施例においては、傾斜したストッパ面１２によりフック部１３の掛け部１４が、図９乃至図１１及び図１４に示すように、先部が上向きに傾斜し、物２３の外れを防止している。また、フック部１３における先部に形成した外れ止め部１５が上向き姿勢になるため、この外れ止め部１５によって物２３の外れが一層防止される。
【００３７】
また、この使用状態では、物２３の荷重による垂直荷重が、フック部１３、本体２の垂直板３を介して水平板４に作用し、この水平板４に作用する垂直荷重を物品２２の上面２２ａで受け止める。したがって、前記従来のように、物の荷重を粘着シートで物品の垂直面で支持するフックと比べて、大きな荷重の物品を引っ掛けて保持することができる。
【００３８】
次に、前記の状態から物２３をフック部１３から取り外すと、コイルスプリングからなる付勢手段１９の付勢力によりフック部１３が自然に起立して元の状態に収納される。
【００３９】
次に、薄い物、例えば紙類や板類の物を保持したい場合には、その物を、本体２の前面とフック部１３の間に上方から差し込むことにより、付勢手段１９の付勢力によってフック部１３が本体２側へ付勢されることによって、このフック部１３と本体２とによって前記の薄い物を挟み保持することができる。
【００４０】
なお、前記実施例では、垂直板３を粘着シート２０で物品の側面に定着するようにしたが、接着剤やその他の方法で垂直板３を物品の側面に定着させるようにしてもよい。
【００４１】
【発明の効果】
以上のようであるから本発明によれば、フックに物をかけたい時だけフックを引き出して（倒して）、そのフックに物を掛けることができ、フックを使用しないときは、フックを本体側へ起立させておくことができる。そのため、不使用状態においては、フック部が前記従来のように前側へ突出していないので、このフック部が場取らず邪魔にならず、更に、人に当たることを防止することができる。更に、フックの本体に形成した水平板を物品の上面に係止させるため、前記従来のように単に粘着シートで垂直面に貼り付けるものに比べて、重い物をフックに引っ掛け保持することができる。
【００４２】
更に、請求項２の発明によれば、フック部に掛けた物の外れを防止できる。
更に、請求項３の発明によれば、フック部が本体側に収納されて、フックを薄肉化して、一層、場取らず、邪魔にならないようにすることができる。
【００４３】
更に、請求項４の発明によれば、手掛け部により、フック部の引き出し操作が容易になる。
【００４４】
更に、請求項５の発明によれば、フック部の取り付け操作を容易にすることができる。
【図面の簡単な説明】
【図１】本発明の実施例を示すフックの正面側から見た斜視図。
【図２】図１のフックを裏面側から見た斜視図。
【図３】図１のフックの正面図。
【図４】図１のフックの裏面図。
【図５】図３の右側面図。
【図６】図３の平面図。
【図７】図３の底面図。
【図８】図３におけるＣ−Ｃ線断面図。
【図９】図１の状態からフック部を倒した斜視図。
【図１０】図９の右側面図。
【図１１】図１０における側断面図。
【図１２】図２における本体の裏面に粘着シートを設けた状態の斜視図。
【図１３】図１２における側側面図。
【図１４】本発明のフックの使用状態を示す斜視図。
【符号の説明】
１    フック
２    本体
３    垂直板
４    水平板
７    フック嵌合凹部
９    支軸
１２，１６    ストッパ部
１３    フック部
１４    掛け部
１５    外れ止め部
１７，１８    手掛け部
１９    付勢手段
２０    粘着シート
２１    剥離紙
【図１】
2004255115.tif 000003
【図２】
2004255115.tif 000004
【図３】
2004255115.tif 000005
【図４】
2004255115.tif 000006
【図５】
2004255115.tif 000007
【図６】
2004255115.tif 000008
【図７】
2004255115.tif 000009
【図８】
2004255115.tif 000010
【図９】
2004255115.tif 000011
【図１０】
2004255115.tif 000012
【図１１】
2004255115.tif 000013
【図１２】
2004255115.tif 000014
【図１３】
2004255115.tif 000015
【図１４】
2004255115.tif 000016